(57)【要約】【課題】書籍を散乱させることなく移動させることが可能な、新規かつ改良された書籍収納ボックスを提供すること。【解決手段】背面壁１１４に手持ち用の孔１２２が形成され、上面が開放した箱状の書籍収納ボックス１００であって、陳列時には背面壁と書籍１５０との間に挿入され、移動時には背面壁と対向する正面壁１１２と書籍との間に挿入されて、書籍の正面側への移動を制限する着脱自在な補助壁１３０とを備えていることを特徴とする。上記補助壁の上端部には、陳列時において正面側に傾斜する傾斜面１３４が形成されてもよい。【選択図】図１３
2008213935.tif 000002
【特許請求の範囲】
【請求項１】
背面壁に手持ち用の孔が形成され、上面が開放した箱状の書籍収納ボックスであって、
陳列時には前記背面壁と書籍との間に挿入され、移動時には前記背面壁と対向する正面壁と書籍との間に挿入されて、書籍の正面側への移動を制限する着脱自在な補助壁と、
を備えていることを特徴とする、書籍収納ボックス。
【請求項２】
前記補助壁の上端部には、陳列時には正面側に傾斜する傾斜面が形成されていることを特徴とする、請求項１記載の書籍収納ボックス。
【請求項３】
前記正面壁は、前記背面壁よりも高さが低く形成されたことを特徴とする、請求項１または２に記載の書籍収納ボックス。
【請求項４】
前記補助壁は、移動時に正面側へかかる書籍の荷重を支持することが可能な剛性を有していることを特徴とする、請求項１〜３のいずれかに記載の書籍収納ボックス。
【発明の詳細な説明】
【技術分野】
【０００１】
本発明は、書籍収納ボックスに関する。
【背景技術】
【０００２】
書店に書籍を陳列する際に、収納部に書籍を収納する書籍収納ボックスが用いられている。書籍収納ボックスは、書籍を内部に収納できる収納部を有している。書籍は、収納部内部で、書籍の表紙側が上を向くように平積みされたり、背表紙が前方を向くように立てて配列されたりする。
【発明の開示】
【発明が解決しようとする課題】
【０００３】
ところで、書籍収納ボックスを収納された書籍と共に移動するとき、収納部の壁部より書籍が高く積まれている場合等において、書籍収納ボックスを傾けてしまうと、書籍が散乱しやすいという問題があった。また、陳列時において、書籍収納ボックスは、収納部の手前側の壁部ができるだけ低く形成されていれば、収納された書籍が取り出しやすいが、書籍収納ボックスを移動させる場合、書籍が散乱しやすくなるという問題があった。
【０００４】
そこで、本発明は、上記問題に鑑みてなされたものであり、本発明の目的とするところは、書籍を散乱させることなく移動させることが可能な、新規かつ改良された書籍収納ボックスを提供することにある。
【課題を解決するための手段】
【０００５】
上記課題を解決するために、本発明のある観点によれば、背面壁に手持ち用の孔が形成され、上面が開放した箱状の書籍収納ボックスであって、陳列時には背面壁と書籍との間に挿入され、移動時には背面壁と対向する正面壁と書籍との間に挿入されて、書籍の正面側への移動を制限する着脱自在な補助壁とを備えていることを特徴とする書籍収納ボックスが提供される。
【０００６】
かかる構成により、書籍収納ボックスは書籍を収納し、手持ち用の孔は、書籍収納ボックスの背面壁に形成されることで設けられる。補助壁は、着脱自在であり、陳列時には、補助壁は、背面壁と書籍との間に挿入され、移動時には、補助壁は、正面壁と書籍との間に挿入される。その結果、手持ち用孔によって書籍収納ボックスを移動させることができ、補助壁は、移動時に、書籍収納ボックスに収納された書籍が正面側へ移動すること制限することができる。
【０００７】
上記補助壁の上端部には、陳列時には正面側に傾斜する傾斜面が形成されてもよい。かかる構成により、傾斜面に、例えば、書籍の販売促進用の広告などが印刷されたり、貼付されたりすることによって、書籍収納ボックスに収納された書籍の上に広告などを配置することができる。
【０００８】
上記正面壁は、背面壁よりも高さが低く形成されてもよい。かかる構成により、書籍収納ボックスに書籍が低く積まれている場合でも、収納された書籍が取り出しやすくなる。一方、移動時には、補助壁を正面壁に重ねれば、補助壁が書籍の正面側への移動を制限し、正面から書籍が散乱することはない。
【０００９】
上記補助壁は、移動時に正面側へかかる書籍の荷重を支持することが可能な剛性を有することができる。かかる構成により、補助壁を正面壁に重ねて書籍収納ボックスを移動させるとき、正面側に書籍収納ボックスが傾いても、補助壁は、書籍収納ボックスに収納された書籍を支持することができる。
【発明の効果】
【００１０】
本発明によれば、書籍を散乱させることなく移動させることができる。
【発明を実施するための最良の形態】
【００１１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１２】
まず、本発明の一実施形態に係る書籍収納ボックスの構成について説明する。
【００１３】
書籍収納ボックスは、書店に書籍１５０を陳列する際に用いられている。書籍収納ボックスは、書籍１５０を内部に収納可能な収納部１１０と、陳列時には収納部１１０の背面壁１１４と書籍１５０との間に挿入され、移動時には、背面壁１１４と対向する正面壁１１２と書籍１５０との間に挿入される補助壁１３０とからなる。
【００１４】
以下に、収納部１１０と、補助壁１３０について詳細に説明する。
【００１５】
収納部１１０は、壁部と、底部１１８とを有して、上面が開口した箱型形状である。壁部は、正面壁１１２と、背面壁１１４と、互いに対向する２つの側面壁１１６とからなる。壁部と、底部１１８は、例えば、薄板状の部材であるが、移動時に書籍１５０を支持することが可能な剛性を有する。壁部と、底部１１８は、例えば、プラスチック、ボール紙などの材料からなる。
【００１６】
正面壁１１２は、例えば、四角形状の面部材であり、書籍収納ボックス１００の陳列時に、背面壁１１４などのその他の壁部よりも高さが低くなるように形成される。正面壁１１２は、陳列時に下端部となる１辺が底部１１８と接続され、上下方向に配置される２辺がそれぞれ側面壁１１６と接続される。
【００１７】
背面壁１１４は、例えば、四角形状の面部材であり、持ち手部１２０が設けられる。背面壁１１４は、書籍収納ボックス１００の陳列時に下側となる１辺が底部１１８と接続され、上下方向に配置される２辺がそれぞれ側面壁１１６と接続される。
【００１８】
持ち手部１２０は、書籍収納ボックス１００を例えば手で持ち上げるために使用する握り手である。持ち手部１２０は、背面壁１１４の上部側に形成される。持ち手部１２０は、背面壁１１４に貫通孔１２２が形成されることで構成される。貫通孔１２２は、手持ち用の孔の一例である。貫通孔１２２は、例えば、背面壁１１４の上辺に沿って、平行に形成され、例えば、人の片手、両手又は指が挿入できる大きさで形成される。貫通孔１２２は、背面壁１１４の上辺から所定の間隔だけ離れた位置に設けられる。ここで、所定の間隔とは、例えば、背面壁１１４の上辺と貫通孔１２２の上辺との間の背面壁１１４によって、握り手が形成されるような長さである。なお、貫通孔１２２は、背面壁１１４に１つ形成される場合に限定されず、２つ以上形成されてもよい。
【００１９】
側面壁１１６は、例えば、台形形状の面部材である。側面壁１１６は、書籍収納ボックス１００の陳列時に下側となる１辺が底部１１８と接続され、上下方向に配置される２辺のうち１辺が正面壁１１２と接続され、他の１辺が背面壁１１４と接続される。側面壁１１６は、正面壁１１２側では、側面壁１１６の１辺と正面壁１１２の１辺は同一長さを有する。一方、側面壁１１６は、背面壁１１４側では、側面壁１１６の１辺の長さが、背面壁１１４の１辺の長さの約１／２の長さである。そのため、側面壁１１６の上辺は、背面壁１１４の約１／２の高さの位置で背面壁１１４と接続される。
【００２０】
側面壁１１６のうち背面壁１１４に接続される辺は、正面壁１１２に接続される辺よりも長く形成される。そのため、側面壁１１６の上辺は、陳列時において手前側（正面壁１１２側）に傾斜して形成される。このような構成により、側面壁１１６は、収納部１１０に収納された書籍１５０を両側で支持しながら、正面壁１１２は、低い高さで形成されることから、収納された書籍１５０が取り出しやすい。
【００２１】
なお、側面壁１１６は、背面壁１１４側では、側面壁１１６の１辺の長さが、背面壁１１４の１辺の長さに対して約１／２の長さであるとしたが、本発明はかかる例に限定されない。例えば、上述したように側面壁１１６が正面壁１１２側に傾斜した台形形状を有するのではなく、正面壁１１２と接続する辺と、背面壁１１４と接続する辺の長さが同一であるとして、側面壁１１６が四角形状の面部材であるとしてもよい。また、例えば、側面壁１１６の背面壁１１４と接続される辺の長さは、背面壁１１４の１辺の長さに対して約１／２の長さ以外の任意の長さとすることができる。
【００２２】
底部１１８は、例えば、四角形状の面部材であり、収納された書籍１５０を支持する。正面壁１１２と、背面壁１１４と、側面壁１１６は、底部１１８の各辺からほぼ垂直に立ち上がって形成される。なお、本実施形態では、底部１１８が四角形であり、底部１１８から立ち上がる壁部が４面である場合について説明したが、本発明はかかる例に限定されない。例えば、底部が四角形以外の多角形であり、多角形の辺に対応した数の壁部を有するとしてもよい。この場合、壁部の少なくとも一面は、持ち手部が形成された壁部である。
【００２３】
補助壁１３０は、陳列時には、収納部１１０の背面壁１１４と書籍１５０との間に挿入され、移動時には、正面壁１１２と書籍１５０との間に挿入されて、収納部１１０に対して着脱可能である。補助壁１３０は、板状部材の支持部１３２と、支持部１３２に対して傾斜したＰＯＰ面１３４とを有する。
【００２４】
支持部１３２は、例えば、四角形状の面部材であり、移動時などにおいて、書籍収納ボックス１００が傾いた場合でも、書籍１５０の荷重を支持することができる剛性を有する材料、例えば、プラスチック、ボール紙などからなる。
【００２５】
支持部１３２の幅方向の長さは、例えば、収納部１１０の背面壁１１４側の内法長さとほぼ同じ長さであり、収納部１１０に収納可能な長さである。支持部１３２の高さ方向の長さは、例えば、背面壁１１４の長さとほぼ同じ長さである。収納部１１０に書籍１５０が収納されているとき、支持部１３２は、書籍１５０と背面壁１１４との間に挿入可能であり、持ち手部１２０が形成された背面壁１１４と重ねられる。また、支持部１３２は、書籍１５０と正面壁１１２との間に挿入可能であり、正面壁１１２と重ねられる。
【００２６】
支持部１３２は、背面壁１１４とほぼ同一高さを有しているので、正面壁１１２に重ねられて配置されると、移動時には、書籍１５０の正面側への移動を制限し、正面壁１１２のみで支持する書籍１５０の数よりも多くの数の書籍１５０を支持することができる。
【００２７】
ＰＯＰ面１３４は、傾斜面の一例であり、支持部１３２の上端部に沿って形成される。ＰＯＰ面１３４には、例えば、書籍１５０の販売促進用の広告が印刷されたり、貼付されたりする。ＰＯＰ面１３４の幅方向の長さは、例えば、支持部１３２の幅方向の長さと同一である。ＰＯＰ面１３４は、例えば、支持部１３２が、正面壁１１２又は背面壁１１４に重ねられて配置されたとき、補助壁１３０の上部側に配置される。ＰＯＰ面１３４は、陳列時において、手前（正面壁１１２側）に傾斜して形成される面を有する。なお、ＰＯＰ面１３４は、陳列時において、手前に傾斜して形成されるとしたが、本発明はかかる例に限定されない。ＰＯＰ面１３４の傾斜角度は、支持部１３２に対して鋭角であってもよいし、直角であってもよいし、鈍角であってもよい。また、ＰＯＰ面１３４は、板状部材に限られず、角柱形状の部材が支持部１３２の上端部で水平に延設され、傾斜面を有するとしてもよい。
【００２８】
補助壁１３０の支持部１３２には、図示しないが、貫通孔が形成されてもよい。貫通孔１２２は、支持部１３２の上辺に沿って、平行に形成され、例えば、人の片手が挿入できる大きさで形成される。そして、補助壁１３０が背面壁１１４の貫通孔１２２に重ねられたとき、背面壁１１４の貫通孔１２２とほぼ同じ高さとなる位置に、支持部１３２の貫通孔が形成されるとよい。
【００２９】
このような構成を有することにより、補助壁１３０を背面壁１１４に重ねて配置しているときでも、貫通孔１２２と支持部１３２の貫通孔とに手を入れることができ、書籍収納ボックス１００を容易に移動させることが可能である。
【００３０】
なお、支持部１３２の貫通孔が形成されている場合、補助壁１３０を正面壁１１２に重ねて配置すると、背面壁１１４の貫通孔１２２と支持部１３２の貫通孔の両方を使って書籍収納ボックス１００を移動させようとする可能性がある。しかし、補助壁１３０は、書籍１５０と正面壁１１２の間に挿入されているに過ぎないため、補助壁１３０は収納部１１０から抜けてしまい、逆に書籍１５０を散乱させてしまうおそれがある。従って、補助壁１３０の支持部１３２には、貫通孔が形成されないほうがよい場合もある。
【００３１】
次に、本実施形態に係る書籍収納ボックスの使用方法について説明する。
【００３２】
陳列時において、書籍収納ボックス１００には、収納部１１０内部に書籍１５０を収納する。このとき、図示するように、書籍１５０の表紙側が上を向くように書籍１５０を平積みすることができる。なお、書籍１５０の収納の仕方は、図示に限定されず、背表紙が前方を向くように書籍１５０を立てて配列してもよい。また、図では、収納部１１０に書籍１５０を１列平積みしている状態を示しているが、収納部１１０に２列以上平積みしてもよい。
【００３３】
また、陳列時には、補助壁１３０を、ＰＯＰ面１３４が手前に傾斜するように、背面壁１１４と書籍１５０の間に挿入する。このように補助壁１３０を配置することで、ＰＯＰ面１３４上の書籍１５０の広告などを、陳列された平積みの書籍１５０の上に配置することができる。また、正面壁１１２の高さが低く形成されている場合には、収納部１１０の底のほうに収納された書籍１５０も容易に取り出すことができる。
【００３４】
移動時には、本実施形態の書籍収納ボックス１００は、収納部１１０に書籍１５０を収納したまま、貫通孔１２２に手を挿入して持ち手部１２０を把持して持ち上げることで、移動させることができる。このとき、図に示すように、正面壁１１２と書籍１５０の間に補助壁１３０を挿入する。このように補助壁１３０を配置することで、収納部１１０内に書籍１５０が収納されていて、更に、正面壁１１２よりも高い位置に書籍１５０が積まれていても移動が可能である。例えば、移動時に、持ち手部１２０を把持して書籍収納ボックス１００持ち上げることで、正面壁１１２側が下側になるように傾くが、補助壁１３０が書籍１５０を支持可能であるためである。
【００３５】
なお、図示しないが、補助壁１３０の支持部１３２に、上述したように貫通孔が設けられてもよい。この場合、移動時において、収納部１１０に収納された書籍１５０が少ないとき、例えば、正面壁１１２よりも低く書籍１５０が積まれているときは、補助壁１３０を背面壁１１４に重ねたまま、貫通孔１２２と支持部１３２の貫通孔に手を挿入して、書籍収納ボックス１００を持ち上げて移動させることができる。なお、補助壁１３０に貫通孔が形成されている場合は、補助壁１３０を正面壁１１２に重ねて、書籍収納ボックス１００を移動させようとするとき、補助壁１３０の貫通孔に手をかけても、補助壁１３０は書籍１５０と正面壁１１２の間に挿入されているだけであるため、書籍収納ボックス１００から抜けてしまう。そのため、移動の際、書籍１５０を散乱させることがないように、補助壁１３０には貫通孔を形成しないほうがよい場合もある。
【００３６】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【図面の簡単な説明】
【００３７】
【図１】本発明の一実施形態に係る書籍収納ボックスの収納部の見取り図である。
【図２】本発明の一実施形態に係る書籍収納ボックスの収納部の平面図である。
【図３】本発明の一実施形態に係る書籍収納ボックスの収納部の正面図である。
【図４】本発明の一実施形態に係る書籍収納ボックスの収納部の側面図である。
【図５】本発明の一実施形態に係る書籍収納ボックスの補助壁の見取り図である。
【図６】本発明の一実施形態に係る書籍収納ボックスの補助壁の平面図である。
【図７】本発明の一実施形態に係る書籍収納ボックスの補助壁の正面図である。
【図８】本発明の一実施形態に係る書籍収納ボックスの補助壁の側面図である。
【図９】本発明の一実施形態に係る書籍収納ボックスの収納部と補助壁の組立時の見取り図である。
【図１０】本発明の一実施形態に係る書籍収納ボックスの収納部と補助壁の平面図である。
【図１１】本発明の一実施形態に係る書籍収納ボックスの収納部と補助壁の組立時の正面図である。
【図１２】本発明の一実施形態に係る書籍収納ボックスの収納部と補助壁の組立時の側面図である。
【図１３】本発明の一実施形態に係る書籍収納ボックスの書籍陳列時の使用状態を示す見取り図である。
【図１４】本発明の一実施形態に係る書籍収納ボックスの書籍移動時の使用状態を示す見取り図である。
【符号の説明】
【００３８】
１００      書籍収納ボックス
１１０      収納部
１１２      正面壁
１１４      背面壁
１１６      側面壁
１１８      底部
１２０      持ち手部
１２２      貫通孔
１３０      補助壁
１３２      支持部
１３４      ＰＯＰ面
【図１】
2008213935.tif 000003
【図２】
2008213935.tif 000004
【図３】
2008213935.tif 000005
【図４】
2008213935.tif 000006
【図５】
2008213935.tif 000007
【図６】
2008213935.tif 000008
【図７】
2008213935.tif 000009
【図８】
2008213935.tif 000010
【図９】
2008213935.tif 000011
【図１０】
2008213935.tif 000012
【図１１】
2008213935.tif 000013
【図１２】
2008213935.tif 000014
【図１３】
2008213935.tif 000015
【図１４】
2008213935.tif 000016